【手続補正書】
【提出日】平成19年12月27日(2007.12.27)
【手続補正１】
【補正対象書類名】明細書
【補正対象項目名】特許請求の範囲
【補正方法】変更
【補正の内容】
【特許請求の範囲】
【請求項１】  長尺状部材を巻回し、接合部に接合剤を融着して管状に形成した可撓性ホースから構成した電気掃除機用ホースであって、前記融着部に薄肉部を形成したことを特徴とする電気掃除機用ホース。
【請求項２】  長尺状部材を巻回し、接合部に接合剤を融着して管状に形成した可撓性ホースから構成した電気掃除機用ホースであって、前記接合部を外した位置の融着部内に電線を配設すると共に、接合部に対して電線と相対向する位置の融着部を薄肉に形成したことを特徴とする電気掃除機用ホース。
【請求項３】  電動送風機を内蔵した掃除機本体に連結されるホース、該ホースに連結される連結パイプ、該連結パイプに連結される吸込具を有する電気掃除機であって、前記ホースを、長尺状部材を巻回し、接合部に接合剤を融着して管状に形成した可撓性ホースから構成し、前記融着部に薄肉部を形成したことを特徴とする電気掃除機。
【請求項４】  電動送風機を内蔵した掃除機本体に連結されるホース、該ホースに連結される連結パイプ、該連結パイプに連結される吸込具を有する電気掃除機であって、前記ホースを、長尺状部材を巻回し、接合部に接合剤を融着して管状に形成した可撓性ホースから構成し、前記接合部を外した位置の融着部内に電線を配設すると共に、接合部に対して電線と相対向する位置の融着部を薄肉に形成したことを特徴とする電気掃除機。
【手続補正２】
【補正対象書類名】明細書
【補正対象項目名】０００７
【補正方法】変更
【補正の内容】
【０００７】
【課題を解決するための手段】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
上記課題を解決するための第１の手段は、長尺状部材を巻回し、接合部に接合剤を融着して管状に形成した可撓性ホースから構成した電気掃除機用ホースであって、前記融着部に薄肉部を形成したことを特徴とする。
【手続補正７】
【補正対象書類名】明細書
【補正対象項目名】００１２
【補正方法】変更
【補正の内容】
【００１２】
上記課題を解決するための第２の手段は、長尺状部材を巻回し、接合部に接合剤を融着して管状に形成した可撓性ホースから構成した電気掃除機用ホースであって、前記接合部を外した位置の融着部内に電線を配設すると共に、接合部に対して電線と相対向する位置の融着部を薄肉に形成したことを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
上記課題を解決するための第３の手段は、電動送風機を内蔵した掃除機本体に連結されるホース、該ホースに連結される連結パイプ、該連結パイプに連結される吸込具を有する電気掃除機であって、前記ホースを、長尺状部材を巻回し、接合部に接合剤を融着して管状に形成した可撓性ホースから構成し、前記融着部に薄肉部を形成したことを特徴とする。
【手続補正１４】
【補正対象書類名】明細書
【補正対象項目名】００１９
【補正方法】変更
【補正の内容】
【００１９】
上記課題を解決するための第４の手段は、電動送風機を内蔵した掃除機本体に連結されるホース、該ホースに連結される連結パイプ、該連結パイプに連結される吸込具を有する電気掃除機であって、前記ホースを、長尺状部材を巻回し、接合部に接合剤を融着して管状に形成した可撓性ホースから構成し、前記接合部を外した位置の融着部内に電線を配設すると共に、接合部に対して電線と相対向する位置の融着部を薄肉に形成したことを特徴とする。
【手続補正１５】
【補正対象書類名】明細書
【補正対象項目名】００２０
【補正方法】削除
【補正の内容】
【手続補正１６】
【補正対象書類名】明細書
【補正対象項目名】００６０
【補正方法】変更
【補正の内容】
【００６０】
【発明の効果】
【手続補正１７】
【補正対象書類名】明細書
【補正対象項目名】００６１
【補正方法】削除
【補正の内容】
【手続補正１８】
【補正対象書類名】明細書
【補正対象項目名】００６２
【補正方法】削除
【補正の内容】
【手続補正１９】
【補正対象書類名】明細書
【補正対象項目名】００６３
【補正方法】削除
【補正の内容】
【手続補正２０】
【補正対象書類名】明細書
【補正対象項目名】００６４
【補正方法】変更
【補正の内容】
【００６４】
本発明の請求項１の構成によれば、融着部に薄肉部を形成することにより、長尺状部材の接合部の融着強度を低下させることなく、ホースを軽量化できると共に、ホースを撓みやすくすることができ、ホースの操作性を向上させることができる等の効果を奏する。
【手続補正２１】
【補正対象書類名】明細書
【補正対象項目名】００６５
【補正方法】変更
【補正の内容】
【００６５】
本発明の請求項２の構成によれば、長尺状部材の接合部を外した位置の融着部に電線を配設することにより、電線の断線が防止できる。また、融着部に薄肉部を形成することにより、ホースを軽量化できると共に、ホースを撓みやすくすることができ、ホースの操作性を向上させることができる等の効果を奏する。
【手続補正２２】
【補正対象書類名】明細書
【補正対象項目名】００６６
【補正方法】削除
【補正の内容】
【手続補正２３】
【補正対象書類名】明細書
【補正対象項目名】００６７
【補正方法】削除
【補正の内容】
【手続補正２４】
【補正対象書類名】明細書
【補正対象項目名】００６８
【補正方法】削除
【補正の内容】
【手続補正２５】
【補正対象書類名】明細書
【補正対象項目名】００６９
【補正方法】削除
【補正の内容】
【手続補正２６】
【補正対象書類名】明細書
【補正対象項目名】００７０
【補正方法】削除
【補正の内容】
【手続補正２７】
【補正対象書類名】明細書
【補正対象項目名】００７１
【補正方法】変更
【補正の内容】
【００７１】
本発明の請求項３の構成によれば、融着部に薄肉部を形成することにより、長尺状部材の接合部の融着強度を低下させることなく、ホースを軽量化できると共に、ホースを撓みやすくすることができ、ホースの操作性を向上させることができる等の効果を奏する。
【手続補正２８】
【補正対象書類名】明細書
【補正対象項目名】００７２
【補正方法】変更
【補正の内容】
【００７２】
本発明の請求項４の構成によれば、長尺状部材の接合部を外した位置の融着部に電線を配設することにより、電線の断線が防止できる。また、融着部に薄肉部を形成することにより、ホースを軽量化できると共に、ホースを撓みやすくすることができ、ホースの操作性を向上させることができる等の効果を奏する。
【手続補正２９】
【補正対象書類名】明細書
【補正対象項目名】００７３
【補正方法】削除
【補正の内容】